(57)【要約】【課題】  ＩＰ電話の発信元の所在地を通話相手に通知できるようにする。【解決手段】  ユーザ接続ポートの光コネクタ２０−１〜ｎに、固有の識別情報を保持する無線ＩＣタグ２２−１〜ｎを装着する。光コネクタ２０−１〜ｎの所在地と無線ＩＣタグ２２−１〜ｎの識別情報の対応をポート管理データベース３４に登録する。ＯＮＵ４０のＩＣタグ読取り装置５２は、接続する光コネクタ２０−１の無線ＩＣタグ２２−１の識別情報を読み取る。緊急通報時、ＯＮＵ４０は、緊急通報の宛先情報と無線ＩＣタグ２２−１の識別情報をセンター局１０に送信する。センター局１０の管理端末装置３２は、無線ＩＣタグ２２−１の識別情報をデータベース３４に照合して、光コネクタ２０−１の所在地を調べる。センター１０局は、得られた所在地を示す情報を緊急通報の宛先情報に付加して、ＩＰネットワーク２４に出力する。【選択図】  図１
2006014190.tif 000002
【特許請求の範囲】
【請求項１】
ＩＰ電話の発信地を通知する方法であって、
ＩＰ電話機を接続可能な１以上のユーザ接続ポートとその所在地を対応付けてポート管理情報ファイル（３４）に記憶し、
当該ＩＰ電話機の所定の発呼に対して、宛先情報と当該ＩＰ電話機の接続するユーザ接続ポートのポート識別情報とを含む接続要求信号をセンター局（１０）に送信し、
当該センター局（１０）において、当該所定の発呼の当該接続要求信号に対して、当該ポート識別情報を当該ポート管理情報ファイル（３４）に照合することにより当該ＩＰ電話機の接続する当該ユーザ接続ポートの所在地を検出し、検出された所在地を示す情報と当該宛先情報をＩＰネットワーク（２４）に出力する
ことを特徴とするＩＰ電話発信地通知方法。
【請求項２】
当該ＩＰ電話機の当該所定の発呼の前に、当該ＩＰ電話機の接続する当該ユーザ接続ポートのポート識別情報を検出し、記憶することを特徴とする請求項１に記載のＩＰ電話発信地通知方法。
【請求項３】
ＩＰネットワーク（２４）に接続するセンター局（１０）と、それぞれＩＰ電話機能を具備する複数のユーザ装置（１８−１〜１８−ｎ）と、当該センター局（１０）と当該複数のユーザ装置（１８−１〜１８−ｎ）とを接続する光伝送路（１２，１４，１６−１〜１６−ｎ）とからなる光伝送システムであって、
当該光伝送路（１２，１４，１６−１〜１６−ｎ）の、当該複数のユーザ装置（１８−１〜１８−ｎ）がそれぞれ接続する複数のユーザ接続ポートにそれぞれ配置される複数の光コネクタ（２０−１〜２０−ｎ）であって、固有のポート識別情報を保持する識別媒体（２２−１〜２２−ｎ）をそれぞれ具備する光コネクタ（２０−１〜２０−ｎ）と、
各ユーザ装置（１８−１〜１８−ｎ）に装備される、当該光コネクタ（２０−１〜２０−ｎ）に接続する光加入者端末装置（４０）であって、接続する光コネクタ（２０−１）の当該識別媒体（２２−１）に記憶される当該ポート識別情報を読み取る読取り装置（５２）を具備し、当該ＩＰ電話機能の所定の発呼に対して、宛先情報と当該ポート識別情報とを含む接続要求信号を当該センター局（１０）に送信する光加入者端末装置（４０）と、
各ユーザ接続ポートに配置される当該光コネクタ（２０−１〜２０−ｎ）の当該識別媒体（２２−１〜２２−ｎ）に保持されるポート識別情報と、当該光コネクタ（２０−１〜２０−ｎ）の所在地との対応を記憶するポート管理情報ファイル（３４）と、
当該センター局（１０）に配置される中継装置（３０，３２）であって、ユーザ装置（１８−１）からの当該所定の発呼の接続要求信号に対して、当該ポート識別情報を当該ポート管理情報ファイル（３４）に照合することにより発信元の接続する当該光コネクタの所在地を検出し、検出された所在地を示す情報と当該宛先情報を当該ＩＰネットワーク（２４）に出力する中継装置
とを具備することを特徴とする光伝送システム。
【請求項４】
当該識別媒体（２２−１〜２２−ｎ）が無線ＩＣタグからなることを特徴とする請求項３に記載の光伝送システム。
【請求項５】
当該読取り装置（５２）は、光加入者端末装置（４０）の電源投入時、および、当該光加入者端末装置（４０）と当該センター局（１０）との間のリンクを確立する時に、当該識別媒体（２２−１）の当該ポート識別情報を読み取ることを特徴とする請求項３又は４に記載の光伝送システム。
【請求項６】
当該所定の発呼が、緊急通報の発呼であることを特徴とする請求項３乃至５の何れか１項に記載の光伝送システム。
【請求項７】
当該中継装置が、当該光伝送路（１２，１４，１６−１〜１６−ｎ）及び当該ＩＰネットワーク（２４）に接続する局終端装置（３０）と、管理端末装置（３２）とからなり、
当該局終端装置（３０）は、当該所定の発呼の接続要求信号を当該管理端末装置（３２）に転送し、
当該管理端末装置（３２）は、当該接続要求信号に含まれる当該ポート識別情報を当該ポート管理情報ファイル（３４）に照合することにより発信元の接続する当該光コネクタの所在地を検出し、検出された所在地を示す情報と当該宛先情報を当該光終端装置（３０）に当該ＩＰネットワーク（２４）に出力させる
ことを特徴とする請求項３乃至６の何れか１項に記載の光伝送システム。
【請求項８】
外部から読取り可能な識別情報を保持する識別媒体（２２−１〜２２−ｎ）を具備することを特徴とする光コネクタ。
【請求項９】
当該識別媒体が、フレーム内に埋設されている請求項８に記載の光コネクタ。
【請求項１０】
当該識別媒体が、無線ＩＣタグであることを特徴とする請求項８又は９に記載の光コネクタ。
【請求項１１】
光ネットワークのユーザ接続ポートに配置される光コネクタであることを特徴とする請求項８乃至１０の何れか１項に記載の光コネクタ。
【請求項１２】
ユーザ装置（１８−１〜１８−ｎ）が接続可能な複数のユーザ接続ポートのそれぞれに、固有のポート識別情報を保持する識別媒体（２２−１〜２２−ｎ）が配置されている光ネットワークにおいて、
当該ユーザ接続ポートを介してセンター局（１０）と信号光をやりとりする光送受信装置（５０）と、
当該識別媒体（２２−１）に記憶される当該ポート識別情報を読み取る読取り装置（５２）と、
ＩＰ電話機能の所定の発呼に対して、宛先情報と当該ポート識別情報とを含む接続要求信号を、当該光送受信装置（５０）に指令して当該センター局（１０）に送信させる制御装置（５６）
とを具備することを特徴とする光加入者端末装置。
【請求項１３】
当該識別媒体（２２−１）が無線ＩＣタグからなることを特徴とする請求項１２に記載の光加入者端末装置。
【請求項１４】
当該読取り装置（５２）は、電源投入時、および、当該光ネットワークを介するセンター局（１０）との間のリンクを確立する時に、当該識別媒体（２２−１）の当該ポート識別情報を読み取ることを特徴とする請求項２又は１３に記載の光加入者端末装置。
【請求項１５】
当該所定の発呼が、緊急通報の発呼であることを特徴とする請求項１２乃至１４の何れか１項に記載の光加入者端末装置。
【発明の詳細な説明】
【技術分野】
【０００１】
本発明は、ＩＰ電話発信地通知方法、光伝送システム、光コネクタ及び光加入者端末装置に関する。
【背景技術】
【０００２】
パッシブ光ネットワーク、いわゆるＰＯＮシステムでは、パッシブな光カップラを用いて所定数（例えば、３２乃至６４）の光加入者端末装置（ＯＮＵ：Optical Network Unit）を収容できる。各ユーザは、同じＰＯＮシステム内のどの光ファイバ（ユーザ接続ポート）にＯＮＵを接続しても、通信が可能である。センター局には，ＯＮＵに対向する局終端装置（ＯＬＴ：Optical Line Terminal）が配置される。
【０００３】
なお、ＰＯＮシステムのように、個々のユーザに接続する複数の分岐された光ファイバを有する光伝送システムにおいて、個々の光ファイバを識別する手段として、個々の光ファイバにそれぞれに固有の反射波長を具備する反射標識を埋め込む構成が、特許文献１に記載されている。
【特許文献１】特開平９−４３４３２号公報
【発明の開示】
【発明が解決しようとする課題】
【０００４】
ボイスオーバーＩＰ（ＶｏＩＰ）が普及しているが、緊急通報を可能にすることで、ＶｏＩＰは、固定電話網を完全に代替することができる。緊急通報には、発呼位置の情報通知が必須である。
【０００５】
旧来の有線電話はポイントツーポイントで接続されているので、その電話番号から、加入端末装置を設置している住所、すなわち緊急通報を発呼している住所を確定できた。
【０００６】
しかし、ポイントツーマルチポイント接続となるＰＯＮシステムでは、上述のように、同一ＰＯＮシステム内でＯＮＵを自由に移動できるので、このままでは、緊急通報を発呼している住所を特定できない。例えば、上述のように自分のＯＮＵを、同じＰＯＮシステムのユーザ接続ポートがある他人宅に持ち出し、そこで緊急通報を行った場合、このＯＮＵの登録住所（通常、自宅）から発呼があったものと誤認されてしまう。
【０００７】
同様の問題は、無線ＬＡＮ対応のＩＰ電話機を使用する場合に、より顕著になる。即ち、他ユーザの無線ＩＰ電話機の参加を許容する無線ＬＡＮでは、アカウント名又はユーザＩＤから発呼場所を確認するのは不可能である。
【０００８】
また、ＯＮＵのＩＤ等を詐称して、なりすまし発呼する可能性もあるので、ＯＮＵのＩＤに全面的に依存するのは危険である。
【０００９】
上記特許文献１に記載される回線識別機能を使用し、光ファイバの敷設時にセンター局から調査することで、各ユーザ接続ポートの所在地を特定できる。しかし、この構成では、実際に緊急通報が発信された場合に、その発信元となるＩＰ電話機の接続するユーザ接続ポートを特定するのが難しい。即ち、緊急通話の発信元を特定するには、その前提として、発信元となるＯＮＵを特定しなければならない。ＯＮＵのＩＤが偽装されていることがありうることを考慮すると、センター局は配下の全ユーザ接続ポートをスキャンして、緊急通話の発信元となるＯＮＵの接続するユーザ接続ポートの光ファイバを特定することになる。これには時間がかかり、緊急通報に対しては、現実的ではない。
【００１０】
また、特許文献１に記載の構成では、固有の反射波長の反射器を具備する光ファイバを、各ユーザを収容する為に用意しなければならず、コストが増大する。また、各光ファイバを専用波長の光で確認する必要があり、センター局のＯＬＴの負担が増す。
【００１１】
本発明は、ＶｏＩＰによる緊急通報において、発呼者の所在地を迅速且つ確実に通報先に通知可能なＩＰ電話発信地通知方法と、そのための光伝送システム、光コネクタ及び光加入者端末装置を提示することを目的とする。
【課題を解決するための手段】
【００１２】
本発明に係るＩＰ電話発信地通知方法では、先ず、ＩＰ電話機を接続可能な１以上のユーザ接続ポートとその所在地を対応付けてポート管理情報ファイルに記憶する。当該ＩＰ電話機の所定の発呼に対して、宛先情報と当該ＩＰ電話機の接続するユーザ接続ポートのポート識別情報とを含む接続要求信号をセンター局に送信する。当該センター局において、当該所定の発呼の当該接続要求信号に対して、当該ポート識別情報を当該ポート管理情報ファイルに照合することにより当該ＩＰ電話機の接続する当該ユーザ接続ポートの所在地を検出し、検出された所在地を示す情報と当該宛先情報を当該ＩＰネットワークに出力する。
【００１３】
本発明に係る光伝送システムは、ＩＰネットワークに接続するセンター局と、それぞれＩＰ電話機能を具備する複数のユーザ装置と、当該センター局と当該複数のユーザ装置とを接続する光伝送路とからなる光伝送システムであって、当該光伝送路の、当該複数のユーザ装置がそれぞれ接続する複数のユーザ接続ポートにそれぞれ配置される複数の光コネクタであって、固有のポート識別情報を保持する識別媒体をそれぞれ具備する光コネクタと、各ユーザ装置に装備される、当該光コネクタに接続する光加入者端末装置であって、接続する光コネクタの当該識別媒体に記憶される当該ポート識別情報を読み取る読取り装置を具備し、当該ＩＰ電話機能の所定の発呼に対して、宛先情報と当該ポート識別情報とを含む接続要求信号を当該センター局に送信する光加入者端末装置と、各ユーザ接続ポートに配置される当該光コネクタの当該識別媒体に保持されるポート識別情報と、当該光コネクタの所在地との対応を記憶するポート管理情報ファイルと、当該センター局に配置される中継装置であって、ユーザ装置からの当該所定の発呼の接続要求信号に対して、当該ポート識別情報を当該ポート管理情報ファイルに照合することにより発信元の接続する当該光コネクタの所在地を検出し、検出された所在地を示す情報と当該宛先情報を当該ＩＰネットワークに出力する中継装置とを具備することを特徴とする。
【００１４】
本発明に係る光コネクタは、外部から読取り可能な識別情報を保持する識別媒体（２２−１〜２２−ｎ）を具備することを特徴とする。好ましくは、当該識別媒体が、フレーム内に埋設されている。更に好ましくは、当該識別媒体が、無線ＩＣタグである。
【００１５】
本発明に係る光加入者端末装置は、ユーザ装置が接続可能な複数のユーザ接続ポートのそれぞれに、固有のポート識別情報を保持する識別媒体が配置されている光ネットワークにおいて、当該ユーザ接続ポートを介してセンター局と信号光をやりとりする光送受信装置と、当該識別媒体に記憶される当該ポート識別情報を読み取る読取り装置と、ＩＰ電話機能の所定の発呼に対して、宛先情報と当該ポート識別情報とを含む接続要求信号を、当該光送受信装置に指令して当該センター局に送信させる制御装置とを具備することを特徴とする。
【発明の効果】
【００１６】
本発明では、ユーザ装置が接続する各ユーザ接続ポートに固有の識別情報を具備する識別媒体を配置するので、ユーザ接続ポート毎に所在地が判明している。光加入者端末装置は、緊急通話等のような所定の発呼に応じて、当該識別媒体のポート識別番号と共に当該所定の発呼の接続要求をセンター局に送信するので、発呼先に発信元の所在地を通知することが可能になる。これにより、ＩＰ電話を緊急通話に利用できるようになる。
【発明を実施するための最良の形態】
【００１７】
以下、図面を参照して、本発明の実施例を詳細に説明する。
【実施例１】
【００１８】
図１は、本発明の一実施例の概略構成ブロック図を示す。センター局１０は、光ファイバ１２を介して光カップラ１４に接続する。光カップラ１４は、それぞれ別々の光ファイバ１６−１〜１６−ｎを介してユーザ装置１８−１〜１８−ｎに接続する。光カップラ１４は、光ファイバ１２からの下り信号光を複数に分波し、それぞれを光ファイバ１６−１〜１６−ｎに出力する。また、光カップラ１４は、光ファイバ１６−１〜１６−ｎから入力する上り信号を光ファイバ１２に出力する。光ファイバ１６−１〜１６−ｎのユーザ装置１８−１〜１８−ｎに接続する端部には、光コネクタ２０−１〜２０−ｎが装備されている。各光コネクタ２０−１〜２０−ｎには、それぞれをユニークに識別する識別情報を保持する無線ＩＣタグ２２−１〜２２−ｎが装備されている。
【００１９】
無線ＩＣタグ２２−１〜２２−ｎは、光コネクタ２０−１〜２０−ｎの表面に固着されても、光コネクタ２０−１〜２０−ｎのプラグフレーム内に埋め込まれていてもどちらでもよいが、回線なりすましを防止するためには、内部に埋め込んでおく方法が好ましい。フレーム部品のモールド成型時に無線ＩＣタグ２２−１〜２２−ｎを埋め込めばよい。このように、予め、無線ＩＣタグ２２−１〜２２−ｎを装備した光コネクタ２０−１〜２０−ｎを加入者宅に持ち込み、光ファイバ１６−１〜１６−ｎの終端に接続する。光コネクタ２０−１〜２０−ｎはＯＮＵ４０に接続する。
【００２０】
無線ＩＣタグ２２−１〜２２−ｎは、上述のように、それぞれに固有の識別情報を保持する。この識別情報は、イーサネット（登録商標）のＭＡＣアドレスのように世界中で固有であってもよいし、同じＰＯＮシステム内でのみ固有であってもよい。前者のほうが管理が楽である。施工者は、使用した光コネクタの無線ＩＣタグの識別情報をＩＣタグ読取り装置で読み取り、光コネクタ２０−１〜２０−ｎの所在地と対応付けて、センター局１０の後述するポート管理データベース３４に登録する。即ち、無線ＩＣタグ２２−１〜２２−ｎの保持する識別情報は、各ユーザ装置（１８−１〜１８−ｎ）が接続するユーザ接続ポートをユニークに識別するポート識別情報となる。
【００２１】
センター局１０は、他方で、インターネットに代表されるＩＰネットワーク２４に接続する。即ち、センター局１０のＯＬＴ３０は、光ファイバ１２とＩＰネットワーク２４の間で信号を相互に中継する機能を具備する。ＯＬＴ３０とＩＰネットワーク２４との間の信号伝送媒体には、光ファイバに限らず、公知の種々の信号伝送媒体を使用できる。センター局１０はＯＬＴ３０の他に、光ファイバ１２，光カップラ１４及び光ファイバ１６−１〜１６−ｎからなる光伝送路を監視し、ユーザ装置１８−１〜１８−ｎによる接続を管理する管理端末装置３２を具備し、更には、各ユーザ接続ポートの所在地を管理するポート管理データベース３４を具備する。緊急通報に関する管理端末３２及びポート管理データベース３４の具体的な機能は、後述する。
【００２２】
ユーザ装置１８−１の内部構成を説明する。各ユーザ装置１８−１〜１８−ｎは、基本的に同じ構成からなる。勿論、利用するサービス及び機能等により、接続機器が異なることはある。
【００２３】
ユーザ装置１８−１は、基本的に、ＯＮＵ４０、ホームゲートウエイ４２、１又は複数のＩＰ電話機４４及び１又は複数のコンピュータ（ＰＣ）４６からなる。ホームゲートウエイ４２は、いわゆるルータでもよい。ホームゲートウエイ４２、ＩＰ電話機４４及びコンピュータ４６は、同一のＬＡＮ（Local Area network）に接続され、いわゆる家庭内ＬＡＮを構成することもある。
【００２４】
ＯＮＵ４０は、光コネクタ１８−１から出力される下り信号光を受信し、光コネクタ１８−１の光ファイバ１６−１に上り信号光を出力する光送受信機５０と、光コネクタ１８−１に装備される無線ＩＣタグ２２−１に記憶される識別情報を読み取るＩＣタグ読取り装置５２と、データ送受信装置５４、ＯＮＵ４０の全体を制御するＣＰＵ５６、ＯＮＵ４０の識別情報（ＩＤ）を記憶する不揮発メモリ（又はＲＯＭ）５８、ＩＣタグ読取り装置５２で読み取った無線ＩＣタグ２２−１の識別情報を記憶する書き替え可能メモリ（ＲＡＭ）６０を具備する。
【００２５】
先ず、本実施例の一般的な動作を説明する。ＯＮＵ４０のＣＰＵ５６は、電源が投入されたとき、及び、ＯＮＵ４０とＯＬＴ３０との間のリンクを確立するときに、ＯＮＵ４０に接続する光コネクタ２０−１に装備される無線ＩＣタグ２２−１の識別情報の読取りをＩＣタグ読取り装置５２に指示する。その他に、ＣＰＵ５６は、配下の何れかの情報機器、即ち、ホームゲートウエイ４２、ＩＰ電話機４４又はＰＣ４６からセンター局１０への接続要求があったとき等にも、無線ＩＣタグ２２−１の識別情報の読取りをＩＣタグ読取り装置５２に指示してもよい。これは、ＲＡＭ６０の記憶データの書き替えによる偽装の可能性を低減するのに役立つ。
【００２６】
ＩＣタグ読取り装置５２は、無線ＩＣタグ２２−１の識別情報を読み取ると、読み取った識別情報をＣＰＵ５６に通知し、ＣＰＵ５６は、その識別情報をメモリ６０に格納する。メモリ６０は、実際には、ＣＰＵ５６に内蔵されるメモリであってもよい、
【００２７】
ＩＣタグ読取り装置５２は、ＣＰＵ５６からの指示が無い場合でも、所定距離内に入った無線ＩＣタグ２２−１を自動検知して、その識別情報を読み取るタイプのものでもよい。また、メモリ６０の代わりに、読み取った識別情報を記憶するメモリをＩＣタグ読取り装置５２に内蔵しても良い。このような変形構成では、ＣＰＵ５６の負担が減る。勿論、ＩＣタグ読取り装置５２は、自律的に識別情報を読み取る機能と、ＣＰＵ５６からの指示により読み取る機能の両方を具備しても良い。
【００２８】
ＩＣタグ読取り装置５２は、一定距離内に無線ＩＣタグ２２−１が存在しないとき、例えば、光コネクタ２０−１が実際にはＯＮＵ４０に接続されていないときには、無線ＩＣタグ２２−１から識別情報を読み取れない。ＩＣタグ読取り装置５２は、無線ＩＣタグ２２−１を検出できないとき、及び、無線ＩＣタグ２２−１を検出できたが、その識別情報を読み取れないときには、ＣＰＵ５６に読取りエラーを通知する。この読取りエラーに対して、ＣＰＵ５６は、図示しないランプ等を点滅させるか、図示しない液晶表示パネルにエラーを表示することで、サービスマン又はユーザに未接続等の接続不良を通知する。将来的には、各ユーザがＯＮＵを販売店で購入して、自分で光コネクタ２０−１に接続することになると予想される。このような接続不良を通知する機能は、接続不良の原因のユーザ自身による解明を容易にする。
【００２９】
データ送受信装置５４は、ＣＰＵ５６、ホームゲートウエイ４２、ＩＰ電話機４４及びＰＣ４６からの信号（上り信号）を所定形式で光送受信装置５０に印加する。光送受信装置５０は、データ送受信装置５４からの電気信号を光信号（上り信号光）に変換する。その光信号は、光ファイバ１６−１、光カップラ１４及び光ファイバ１２を介してセンター局１０のＯＬＴ３０に入射する。ＯＬＴ３０は、ユーザ装置１８−１からの信号の内、ＩＰネットワーク２４宛の信号をＩＰネットワーク２４に供給し、センター局１０自身への信号を管理端末３２に供給する。
【００３０】
本実施例では、メモリ５８に記憶されるＯＮＵ４０の識別情報、及び、メモリ６０に記憶される無線ＩＣタグ２２−１の識別情報は、必要時に、例えば、ＯＬＴ３０とのリンク確立時及び緊急通話時に、センター局１０に転送される。即ち、必要時に、ＣＰＵ５６は、メモリ５８，６０から識別情報を読み出し、データ送受信装置５４に印加し、データ送受信装置５４は、これらの識別情報を光送受信装置５０に出力する。
【００３１】
センター局１０の管理端末３２は、ポート管理データベース３４にＯＮＵ４０の識別情報を登録する。図２は、ポート管理データベース３４の構成例を示す。ポート管理データベース３４は、ユーザ接続ポートの番号、ユーザ接続ポートに配置された無線ＩＣタグの識別情報、契約しているユーザのＩＤ、ユーザ接続ポートの所在地、及び、接続されるＯＮＵのＩＤの各フィールドからなる。先に説明したように、光ファイバ１６−１〜１６−ｎを各ユーザ宅に引き込んで光コネクタ２０−１〜２０−ｎを用意したときに、サービスマンが、各光コネクタ２０−１〜２０−ｎに装備される無線ＩＣタグ２２−１〜２２−ｎの識別情報を読取り装置で読取り、図２に示すテーブルのＩＣタグ識別情報のフィールドに登録する。ＯＬＴ３０とのリンク確立時に、ＯＮＵ４０から通知される無線ＩＣタグの識別情報から、個々のＯＮＵが接続するユーザ接続ポートを特定できるので、ポート管理データ３４の該当するセルにＯＮＵの識別情報が登録される。
【００３２】
他方、ＩＰネットワーク２４からのユーザ装置１８−１宛の下り信号は、ＯＬＴ３０、光ファイバ１２、光カップラ１４及び光ファイバ１６−１を介してユーザ装置１８−１のＯＮＵ４０に入力する。ＯＮＵ４０の光送受信装置５０が、下り光信号を電気信号に変換して、データ送受信装置５４に供給する。データ送受信装置５４は、光送受信装置５０からの下り信号を、その宛先である機器、例えば、ホームゲートウエイ４２、ＩＰ電話機４４又はＰＣ４６に転送する。勿論、センター局１０の管理端末３２からＯＮＵ４０に宛てた信号は、データ送受信装置５４からＣＰＵ５６に転送される。
【００３３】
次に、ＩＰ電話機４４から緊急通話を行なう場合の動作を説明する。ＩＰ電話機４４から警察及び消防署等に宛てた緊急通話が発呼されると、その呼び出し信号は、ホームゲートウエイ４２を介してデータ送受信装置５４に入力し、データ送受信装置５４は、緊急通話の発呼をＣＰＵ５６に通知する。ＣＰＵ５６は、メモリ５８，６０からＯＮＵ４０の識別情報及び無線ＩＣタグ２２−１の識別情報をそれぞれ読み出し、データ送受信装置５４に印加する。データ送受信装置５４は、緊急通話の発呼信号にこれらの識別情報を付加した緊急通話要求信号を光送受信装置５０に出力する。光送受信装置５０は、データ送受信装置５４からの緊急通話要求信号を光信号に変換する。光送受信装置５０から出力される緊急通話要求光信号は、光ファイバ１６−１、光カップラ１４、光ファイバ１２及びＯＬＴ３０を介して管理端末３２に入力する。
【００３４】
このようにして、センター局１０の管理端末３２には、緊急通話の発呼に応じて、緊急通話の相手電話番号だけでなく、発信元となるＯＮＵ４０の識別番号、および、ＯＮＵ４０が接続するユーザ接続ポートを示す識別情報（光コネクタ２０−１に装備される無線ＩＣタグ２２−１の識別情報）が通知される。
【００３５】
センター局１０のポート管理データベース３４には、図２に示すように、各光ファイバ１６−１の終端、即ち、各ユーザ接続ポートの所在地を示す情報を格納されている。管理端末装置３２は、他に、配下のＰＯＮシステムを利用するユーザの情報（契約者の氏名、住所、連絡先電話番号、及び付与されているＩＰ電話番号等）を保持している。
【００３６】
緊急通話に対し、管理端末装置３２は、発信元（ここでは、ユーザ装置１８−１）からの無線ＩＣタグ２２−１の識別情報を図２に示すテーブルに照合して、発信元が使用するユーザ接続ポートの所在地を特定する。管理端末装置３２は、特定した所在地をそのまま文字で示す情報又はコードとして示す情報を、緊急通話の相手番号に付加し、ＯＬＴ３０を介してＩＰネットワーク２４に出力する。ＯＬＴ３０及び管理端末装置３２は、特許請求の範囲に記載される中継装置として機能する。
【００３７】
ＯＬＴ３０及び管理端末装置３２のこの変換処理により、緊急通話の相手は、発信元の所在地を知ることができ、緊急通話の重要な要件を満たすことが可能になる。勿論、各ユーザ接続ポートの所在地を事前に緊急通話先に通知してある場合には、ユーザ接続ポートを特定する情報と、そのユーザ接続ポートが所属するＰＯＮシステムを特定する情報を緊急通話先に通知すれば良い。勿論、発信元のＩＰ電話機４４に着信可能な電話番号が付与されている場合には、その電話番号もまた、緊急通話先に通知する。
【００３８】
マンション等の集合住宅では、ＯＮＵにＬＡＮが接続し、そのＬＡＮに各ユーザが接続することがある。ユーザ宅内では無線ＬＡＮが使用されることもある。このような状況では、ＯＮＵの所在地は、いわば集合住宅の入り口を示すに過ぎないが、各ユーザの入り口に位置するルータ等のＭＡＣアドレスでユーザ宅の所在地を特定できる。従って、個々のユーザ宅まで特定しなければならない場合には、ＯＮＵで集合住宅を特定し、ＭＡＣアドレスから個々のユーザ宅を特定し、このように特定した住所を緊急通話先に通知すれば良い。また、無線ＬＡＮ対応ＩＰ電話にＩＣタグを埋め込み、そのＩＤを認証すれば、ＭＡＣアドレスの詐称も防ぐことができる。
【００３９】
また、各ユーザの利用するＯＮＵの識別番号は、利用開始時に管理端末装置３２に登録される。従って、管理端末装置３２は、緊急通話の発信元のＯＮＵ４０の識別番号から、その使用ユーザを特定できる。管理端末装置３２は、発信元のＯＮＵ４０の識別番号から分かるユーザの氏名、住所及び連絡先電話番号等をも含めて、緊急通話の相手に送信しても良い。これにより、緊急通話の相手は、通話者の住所・氏名を知ることができ、ＩＰ電話以外の代替連絡手段を知ることができる。
【００４０】
無線ＩＣタグを使用する実施例を説明したが、ＩＣタグ読取り装置と有線で接続する有線ＩＣタグであってもよい。有線接続では、読取り自体は安定するが、ＩＣタグをＩＣタグ読取り装置に接続する接続機構が必要になる。また、ＩＣタグとＩＣタグ読取り装置との間に接続不良があると、ＩＣタグの識別情報を読み取れなくなり、ＩＰ接続不良の原因が増加し、原因の解明がそれだけ面倒になる。また、光学的に読取り可能なバーコード又は図形コードを光コネクタ２０−１〜２０−ｎのＯＮＵ４０に対面する面に印刷又はシーで付着し、ＯＮＵ４０には、そのバーコード又は図形コードを読み取る読取り装置を設けても良い。
【００４１】
特定の説明用の実施例を参照して本発明を説明したが、特許請求の範囲に規定される本発明の技術的範囲を逸脱しないで、上述の実施例に種々の変更・修整を施しうることは、本発明の属する技術分野の技術者にとって自明であり、このような変更・修整も本発明の技術的範囲に含まれる。
【図面の簡単な説明】
【００４２】
【図１】本発明の一実施例の概略構成ブロック図である。
【図２】ポート管理データベース３４の構成例である。
【符号の説明】
【００４３】
１０：センター局
１２：光ファイバ
１４：光カップラ
１６−１〜１６−ｎ：光ファイバ
１８−１〜１８−ｎ：ユーザ装置
２０−１〜２０−ｎ：光コネクタ
２２−１〜２２−ｎ：無線ＩＣタグ
３０：ＯＬＴ（Optical Line Terminal）
３２：管理端末装置
３４：ポート管理データベース
４０：ＯＮＵ（Optical Network Unit）
４２：ホームゲートウエイ
４４：ＩＰ電話機
４６：コンピュータ（ＰＣ）
５０：光送受信機
５２：ＩＣタグ読取り装置
５４：データ送受信装置
５６：ＣＰＵ
５８：不揮発メモリ（又はＲＯＭ）
６０：書き替え可能メモリ（ＲＡＭ）
【図１】
2006014190.tif 000003
【図２】
2006014190.tif 000004